(57)【要約】【課題】証紙を取り付ける手間や部品コストの増加させずに、証紙の付け替えを適切に防止し得るパチンコ遊技機を提供する。【解決手段】遊技領域の周囲に固定される周辺部材１６に、裏面に粘着剤が塗布された証紙を貼付する証紙貼付部２４を前面に有する板状の証紙保持部材２０を取り付ける構成とし、該証紙保持部材２０の証紙貼付部２４に表裏方向の嵌合孔２５を形成するとともに、周辺部材１６の、証紙保持部材２０を取り付ける部位に、証紙保持部材２０を取り付けた状態で前記嵌合孔２５に嵌入して証紙貼付部２４と略面一となる貼付用突部３２を配設する。かかる構成によれば、証紙保持部材２０を周辺部材１６に取り付けた時に、証紙を周辺部材１６に直接貼付可能となるから、証紙取付けの手間やコストを増加させることなく、証紙の付け替えを適切に防止可能となる。【選択図】図２
2011156211.tif 000002
【特許請求の範囲】
【請求項１】
遊技盤面に、遊技球が転動流下する遊技領域を形成するとともに、該遊技領域の周辺部に周辺部材を固定してなるパチンコ遊技機にあって、
粘着剤が裏面に塗布された証紙を貼付する証紙貼付部を前面に有し、前記周辺部材の前面に取り付けられる板状の証紙保持部材を具備してなり、
前記証紙貼付部には表裏方向の嵌合孔が形成されており、周辺部材の、証紙保持部材を取り付ける部位には、前記証紙保持部材を取り付けた状態で前記嵌合孔に嵌入して証紙貼付部と略面一となる貼付用突部が配設されていることを特徴とするパチンコ遊技機。
【発明の詳細な説明】
【技術分野】
【０００１】
本発明は、遊技盤の前面側に証紙貼付部を備えるパチンコ遊技機に関する。
【背景技術】
【０００２】
従来のパチンコ遊技機は、遊技盤の前面側に各種の証紙を貼付する証紙貼付部が設けられる。証紙は、通常、粘着剤が裏面に塗布された粘着シールとして供給され、剥離紙から剥がして証紙貼付部に一枚ずつ貼付される。ここで、こうした証紙は貼り替えを防止するために、証紙貼付部に一度貼付したら剥離困難となるよう構成されているため、貼付作業で失敗すると、貼り直しが難しく、貴重な証紙が無駄となってしまうことが多い。
【０００３】
このような不具合を解消するために、近年では、まず、証紙を板状の証紙保持部材に貼付した後に、該証紙保持部材を遊技盤の前面側に係合させるようにしている（特許文献１参照）。すなわち、従来のパチンコ遊技機１ａでは、図５（ａ）に示すように、遊技盤５の前面中央に形成される遊技領域９の周囲に各種の周辺部材１６，１７，１８が固定されており、その中の一つの周辺部材１６に証紙保持部材２０ｄを取り付ける取付部２８が配設される。そして、証紙保持部材２０ｄは、図５（ｂ）に示すように、取付部２８と係合する係合爪２１，２２が形成された板状部材であり、その前面に設けられた証紙貼付部２４に証紙Ｃを貼付するようになっている。かかる構成にあっては、作業台の上などで、証紙Ｃを証紙保持部材２０ｄに貼付する作業を集中的に行えるため、組立て済みのパチンコ遊技機１ａに証紙Ｃを直接貼付するよりも失敗が少なく、貼付ミスによる証紙のロスを低減でき、また、作業時間も短縮できる。
【先行技術文献】
【特許文献】
【０００４】
【特許文献１】特開２００５−３２９０２９号公報
【発明の概要】
【発明が解決しようとする課題】
【０００５】
ところで、上記証紙Ｃは、証紙の付け替えを防止するために、一般的に、引張りに弱い基材と強力な粘着剤とで構成されて、剥離しようとすると証紙Ｃが破損するようになっている。しかしながら、上記従来構成では、証紙Ｃが貼付される証紙保持部材２０ｄは、係止爪２１，２２によって周辺部材１６と係合しているだけであり、証紙保持部材２０ｄを周辺部材１６から取り外せば、証紙Ｃを剥離・破損させることなく簡単に付け替えできるため、証紙Ｃの不正利用を助長し易いものとして問題視されている。かかる問題を解決するために、証紙保持部材２０ｄを周辺部材１６に特殊ネジ等で強固に組み付けることが提案されるが、証紙保持部材の取付作業の負担増や部品増加に見合うだけの効果を得るのが困難であった。
【０００６】
本発明は、かかる現状に鑑みてなされたものであり、手間やコストを殆ど増やすことなく、証紙の付け替えを適切に防止し得るパチンコ遊技機の提供を目的とする。
【課題を解決するための手段】
【０００７】
本発明は、遊技盤面に、遊技球が転動流下する遊技領域を形成するとともに、該遊技領域の周辺部に周辺部材を固定してなるパチンコ遊技機にあって、粘着剤が裏面に塗布された証紙を貼付する証紙貼付部を前面に有し、前記周辺部材の前面に取り付けられる板状の証紙保持部材を具備してなり、前記証紙貼付部には表裏方向の嵌合孔が形成されており、周辺部材の、証紙保持部材を取り付ける部位には、前記証紙保持部材を取り付けた状態で前記嵌合孔に嵌入して証紙貼付部と略面一となる貼付用突部が配設されていることを特徴とするパチンコ遊技機である。ここで、本発明に係る「周辺部材」としては、主として、遊技領域を区画するレール部材や、装飾目的で配設される装飾部材などが挙げられるが、遊技盤の前面にあって、遊技領域の周囲に固定される部材であれば、これらに限定されない。
【０００８】
かかる構成にあっては、従来構成同様に、まず、証紙保持部材に証紙を貼付し、しかる後に、証紙保持部材を周辺部材に取り付けることによって、証紙をパチンコ遊技機に取り付けできる。ここで、本発明では、証紙を証紙保持部材に貼付した時に、証紙裏面の粘着剤は、証紙保持部材の証紙貼付部全体に接着せず、証紙貼付部に形成された嵌合孔部分に露出することとなる。そして、証紙を貼付した証紙保持部材を周辺部材に取り付けると、周辺部材に形成された貼付用突部が嵌合孔に嵌入して証紙貼付部と略面一となるため、証紙貼付部の嵌合孔部分において、証紙裏面の粘着剤を貼付用突部に接着させて、証紙を周辺部材に直接貼付することが可能となる。
【０００９】
本発明にあって、貼付用突部は、証紙保持部材を取り付けた状態で厳密に証紙貼付部面一となる必要はなく、証紙貼付部に貼付された証紙を無理なく貼付し得る範囲内で、貼付用突部を証紙貼付部からわずかに突出させたり、凹ませたりすることができる。特に、本発明では、貼付用突部は、証紙保持部材を取り付けた状態で、証紙を破損させない程度で僅かに証紙貼付部から突出することが望ましい。貼付用突部を証紙貼付部から僅かに突出させれば、証紙保持部材を取り付ける際に、自然と証紙の裏面が貼付用突部に押し付けられて、証紙が貼付用突部に密着することとなるため、証紙保持部材を取り付けた後に、証紙を貼付用突部に手で押し付ける手間を省くことができる。
【００１０】
本発明にあって、嵌合孔の形状・数・配置は特に限定されないが、少なくとも、証紙貼付部に証紙を貼付した時に、証紙が嵌合孔以外の部分と接着して安定に保持されるよう構成することが望ましい。具体的には、嵌合孔は、証紙貼付部の隅以外の部分に形成することが提案され、また、証紙貼付部の外周部以外の部分に形成することが提案される。
【発明の効果】
【００１１】
上述のように、本発明にあっては、証紙を周辺部材に直接貼付可能となるため、証紙を周辺部材から剥がし取らない限り、証紙をパチンコ遊技機から取り外すことができなくなる。このため、本発明では、従来構成に比べて証紙の取外しが極めて困難となり、証紙の付け替えを好適に防止可能となる。一方で、本発明のパチンコ遊技機は、証紙を貼付する手間や、証紙保持部材を周辺部材に取り付ける手間は、従来構成と殆ど変わらず、また、周辺部材や証紙保持部材のコストも殆ど変わることがない。このため、本発明によれば、従来構成に比して、手間やコストを増やすことなく証紙の付け替えを好適に防止可能となる。
【図面の簡単な説明】
【００１２】
【図１】前扉６を開放して示す、パチンコ遊技機１の斜視図である。
【図２】周辺部材１６の下部と証紙保持部材２０の斜視図であり、（ａ）は、証紙保持部材２０を分離した状態を、（ｂ）は、証紙保持部材２０を取り付けた状態を示す。
【図３】（ａ）は、証紙保持部材２０に証紙Ｃを貼付した状態の縦断側面図であり、（ｂ）は、証紙Ｃを貼付した証紙保持部材２０を、周辺部材１６に取り付けた状態の縦断側面図である。
【図４】変形例の証紙保持部材２０ａ〜２０ｃの斜視図である。
【図５】（ａ）は、従来の証紙保持部材２０ｄを示すパチンコ遊技機１ａの斜視図であり、（ｂ）は、（ａ）のＸ部分の拡大図である。
【発明を実施するための形態】
【００１３】
本発明の実施形態を、以下の実施例に従って説明する。
【００１４】
本実施例におけるパチンコ遊技機１は、図１に示されるように、遊技島（図示省略）に起立状に取り付けられる木製で長方形状の外枠２と、この外枠２の前面開口部分を覆うように配設される遊技機本体３とを備えてなる。また、遊技機本体３の前面部には前扉６が枢支される。
【００１５】
遊技機本体３は、略矩形状のアルミ製枠体からなる内枠４を主体とするものであり、外枠２と内枠４とに配設された上下一対のヒンジ部材８によって外枠２の左側縁に脱着可能に枢支される。
【００１６】
内枠４には、上部から中央部にかけて略矩形の開口部が形成されており、該開口部に合板製の遊技盤５が取り付けられる。また、内枠４の前面下部には、遊技球を貯留可能な下皿部材１１が設けられている。下皿部材１１の右隣には、発射ハンドル１３が設けられている。
【００１７】
また、遊技機本体３の前面部に枢支される前扉６は、図１に示すように、合成樹脂製の方形状板体であり、前記ヒンジ部材８を介して遊技機本体３の左側縁に枢支される。前扉６の中央には、透明板１０が装着された略円形の開口部１５が形成されており、該開口部１５を介して、遊技者は遊技盤５を視認できる。また、開口部１５の下部前面には上皿部材（図示省略）が配設されている。
【００１８】
遊技盤５は、略矩形状の合板からなるものであり、その前面には、遊技球が転動流下することとなる略円形の遊技領域９が中央部に形成される。該遊技領域９内には遊技釘や入賞装置、液晶装置等の遊技部品が配設され、また、遊技領域９の周囲には、遊技領域９を区画する周辺部材１６，１７，１８が複数配設される。
【００１９】
かかるパチンコ遊技機１にあって、証紙は、遊技盤５の前面側右下部に貼付されることとなる。詳述すると、遊技領域９の右側には、遊技領域９の右側を区画する略円弧状の周辺部材１６が配設されており、この周辺部材１６の前面下部に、証紙を貼付した板状の証紙保持部材２０を取り付けるように構成されている。なお、この周辺部材１６は、隣接する周辺部材１７，１８に組み付けられた状態で遊技盤５に強固に釘止めされる。
【００２０】
証紙保持部材２０は、図２に示すように、前面側に矩形の証紙貼付部２４が形成された矩形平板状の本体板部２３と、該本体板部２３の上下両縁に一体的に形成されて周辺部材１６と係合する係合爪２１，２２とを備えてなる樹脂部材である。そして、証紙保持部材２０の証紙貼付部２４には、表裏方向に貫通する嵌合孔２５が４箇所に形成される。嵌合孔２５は、矩形開口状をなし、縦横２列に配列されている。すなわち、かかる構成では、証紙を証紙貼付部２４に貼付した時に、証紙は、嵌合孔２５を除く証紙貼付部２４の田字状部分と接着することによって証紙貼付部２４に保持され、嵌合孔２５部分では証紙裏面が接着せずに露出することとなる。
【００２１】
周辺部材１６は、一体の樹脂成形品であり、図２に示すように、その下部前面は、証紙保持部材２０を取り付ける矩形状の取付部２８が設けられる。この取付部２８は、証紙保持部材２０の裏面側が被着する平面状の被着部３１と、該被着部３１の上下両縁に形成されて、証紙保持部材２０の係止爪２１，２２と係合する孔状の係合部２９，３０と、被着部３１に突成されて証紙保持部材２０の嵌合孔２５と夫々嵌合する四つの貼付用突部３２とを備えてなる。この貼付用突部３２は、各嵌合孔２５と略同形の矩形状をなし、被着部３１から証紙保持部材２０の厚みと略同じだけ突出している。そして、図２（ｂ）に示すように、証紙保持部材２０を取付部２８に係合して本体板部２３の裏面を被着部３１に被着させると、各嵌合孔２５に各貼付用突部３２が嵌入し、各貼付用突部３２の突出面が証紙貼付部２４と略面一となって連続的な平坦面を形成するよう構成されている。
【００２２】
かかる構成にあっては、図３（ａ）に示すように、従来構成同様に、まず、証紙保持部材２０の証紙貼付部２４に証紙Ｃを貼付して、しかる後に、図３（ｂ）に示すように、証紙保持部材２０を周辺部材１６の取付部２８に係合する。ここで、本実施例では、証紙貼付部２４に嵌合孔２５が形成されているため、図３（ａ）に示すように、証紙Ｃを証紙貼付部２４に貼付・保持した時に、証紙Ｃ裏面の粘着剤Ｄが嵌合孔２５部分において接着せずに露出状態となる。そして、かかる状態で証紙保持部材２０を取付部２８に係合すると、図３（ｂ）に示すように、各貼付用突部３２が各嵌合孔２５に嵌入し、各貼付用突部３２の突出面が証紙貼付部２４と略面一となる。ここで、各貼付用突部３２の突出面は、かかる状態で証紙貼付部２４から僅かに突出するよう構成されており、嵌合孔２５に嵌入した貼付用突部３２の突出面は、嵌合孔２５に露出していた証紙Ｃの粘着剤Ｄと、基材Ｅを破損させない程度に圧接し、これにより証紙Ｃと貼付用突部３２が接着することとなる。
【００２３】
このように、本実施例にあっては、証紙Ｃを貼付した証紙保持部材２０を周辺部材１６に係合させた時に、証紙Ｃの一部が周辺部材１６に直接貼付されることとなる。このため、本実施例にあっては、証紙保持部材２０と周辺部材１６の係合を解除しても、証紙Ｃを周辺部材１６から剥離しない限り、証紙Ｃを取り外すことができない。一般的な証紙Ｃは、引張りに弱い基材と強力な粘着剤で構成され、剥がそうとすると破損し易いものであるから、本構成にあって証紙Ｃを破損させずに周辺部材１６から剥離するのは困難である。したがって、本実施例では、証紙Ｃの付け替えを従来構成よりも適切に防止可能となる。また、本実施例では、証紙Ｃを付け替えが困難であると同時に、従来構成同様に、予め証紙Ｃを貼付した証紙保持部材２０を周辺部材１６に係合させることで、証紙Ｃを遊技盤５の前面側に取り付けできるから、本実施例では、証紙Ｃの取付作業は、従来構成と殆ど変わることがない。さらには、本実施例の証紙保持部材２０は、従来構成の証紙保持部材２０ａ（図５参照）に嵌合孔２５を形成しただけの構成であるから、従来構成と比較して製造コストも殆ど変わらない。したがって、本実施例のパチンコ遊技機１によれば、従来構成と殆ど変わらぬ証紙取付作業と製造コストによって、証紙の付け替えを適切に防止可能となる。
【００２４】
なお、本発明におけるパチンコ遊技機は、上記実施例の形態に限らず本発明の要旨を逸脱しない範囲内において種々変更を加えることができる。例えば、証紙貼付部に形成する嵌合孔の形態は矩形状に限らず、図４（ａ）の証紙保持部材２０ａのように、別の形状の嵌合孔２５ａを採用してもかまわないし、図４（ｂ）の証紙保持部材２０ｂのように、切欠状の嵌合孔２５ｂを採用してもかまわない。また、嵌合孔の数も適宜変更可能である。また、本発明に係る証紙保持部材は、複数枚の証紙を貼付することが可能である。複数枚の証紙を貼付する場合には、図４（ｃ）の証紙保持部材２０ｃのように、各証紙を貼付する証紙貼付部２４ａ，２４ａごとに嵌合孔２５ｃを形成することが望ましい。また、上記実施例は、係止爪によって証紙保持部材を周辺部材に係止する構成であるが、本発明に係る証紙保持部材は、ネジや金具等を用いて周辺部材により強固に取り付けてもかまわない。
【符号の説明】
【００２５】
１  パチンコ遊技機
５  遊技盤
９  遊技領域
１６，１７，１８  周辺部材
２０，２０ａ，２０ｂ，２０ｃ，２０ｄ  証紙保持部材
２１，２２  係合爪
２４，２４ａ  証紙貼付部
２５，２５ａ，２５ｂ，２５ｃ  嵌合孔
２８  取付部
３２  貼付用突部
Ｃ  証紙
Ｄ  粘着剤
【図１】
2011156211.tif 000003
【図２】
2011156211.tif 000004
【図３】
2011156211.tif 000005
【図４】
2011156211.tif 000006
【図５】
2011156211.tif 000007